【手続補正書】
【提出日】令和3年8月30日(2021.8.30)
【手続補正１】
【補正対象書類名】特許請求の範囲
【補正対象項目名】全文
【補正方法】変更
【補正の内容】
【特許請求の範囲】
【請求項１】
銅−ニッケル−スズ合金を含む、サッカーロッドガイド。
【請求項２】
炭素鋼に対して測定されるとき、０．４未満の滑り摩擦係数を有する、請求項１に記載のサッカーロッドガイド。
【請求項３】
前記銅−ニッケル−スズ合金は、前記サッカーロッドガイドの外部表面上に存在する、請求項１に記載のサッカーロッドガイド。
【請求項４】
前記銅−ニッケル−スズ合金は、１つ以上の銅−ニッケル−スズ合金インサートの形態にある、請求項１に記載のサッカーロッドガイド。
【請求項５】
前記１つ以上の銅−ニッケル−スズ合金インサートは、前記サッカーロッドガイドの外部表面の少なくとも一部を構成する、請求項４に記載のサッカーロッドガイド。
【請求項６】
前記銅−ニッケル−スズ合金は、約５重量％〜約２０重量％ニッケルと、約５重量％〜約１０重量％スズとを含み、前記合金は、少なくとも７５ｋｓｉの０．２％オフセット降伏強度を有する、請求項１に記載のサッカーロッドガイド。
【請求項７】
第１の端部、第２の端部、外側本体直径、および外部表面を有する、縦方向本体と、
サッカーロッドに係合するように適合される、前記第１の端部から前記第２の端部に延在する、前記縦方向本体内の平滑内部ボアと
をさらに備える、請求項１に記載のサッカーロッドガイド。
【請求項８】
前記縦方向本体は、非銅合金材料を含む、請求項７に記載のサッカーロッドガイド。
【請求項９】
前記非銅合金材料は、ポリマー樹脂である、請求項８に記載のサッカーロッドガイド。
【請求項１０】
（Ａ）少なくとも１つの溝は、前記第１の端部から前記第２の端部に伸びる、（Ｂ）（１）前記少なくとも１つの溝は、前記第１の端部から前記第２の端部に延在する縦軸と平行に伸びる、または（２）前記少なくとも１つの溝は、前記第１の端部から前記第２の端部に螺旋状に伸びる、請求項７に記載のサッカーロッドガイド。
【請求項１１】
サッカーロッドガイドアセンブリであって、
サッカーロッドと、
前記サッカーロッドに添着されるサッカーロッドガイドであって、前記サッカーロッドガイドは、銅−ニッケル−スズ合金を含み、前記サッカーロッドガイドは、炭素鋼に対して測定されるとき、０．４未満の滑り摩擦係数を有する、サッカーロッドガイドと
を備える、サッカーロッドガイドアセンブリ。
【請求項１２】
前記サッカーロッドガイドは、前記サッカーロッドに成型される、請求項１１に記載のサッカーロッドガイドアセンブリ。
【請求項１３】
前記銅−ニッケル−スズ合金は、前記サッカーロッドガイドの外部表面の少なくとも一部上に形成される、請求項１１に記載のサッカーロッドガイドアセンブリ。
【請求項１４】
前記銅−ニッケル−スズ合金は、前記サッカーロッドガイドの外部表面の少なくとも一部を形成する、１つ以上の銅−ニッケル−スズ合金インサートを含む、請求項１１に記載のサッカーロッドガイドアセンブリ。
【請求項１５】
前記銅−ニッケル−スズ合金は、約５重量％〜約２０重量％ニッケルと、約５重量％〜約１０重量％スズとを含み、前記合金は、少なくとも７５ｋｓｉの０．２％オフセット降伏強度を有する、請求項１１に記載のサッカーロッドガイドアセンブリ。
【請求項１６】
接着剤は、前記サッカーロッドガイドを前記サッカーロッドに添着する、請求項１１に記載のサッカーロッドガイドアセンブリ。
【請求項１７】
サッカーロッドガイド区画であって、
第１の端部および第２の端部を有する、区画本体と、
ある半径を有し、前記区画本体を通して縦方向に延在する、半円筒形中心チャネルと、
前記区画本体の内部表面の対向側にあり、前記サッカーロッドガイド区画が別の関連付けられたサッカーロッドガイド区画に対して縦方向にのみ移動することを可能にするように適合される、第１の摺動継合部および第２の摺動継合部と、
前記区画本体の第１の側を通して延在し、関連付けられた締結具が前記サッカーロッドガイド区画を前記関連付けられたサッカーロッドガイド区画に固着させることを可能にするように適合される、少なくとも１つの開口と
を備え、
前記サッカーロッドガイド区画の外部表面は、炭素鋼に対して測定されるとき、０．４未満の滑り摩擦係数を有する、サッカーロッドガイド区画。
【請求項１８】
前記区画本体は、約５重量％〜約２０重量％ニッケルと、約５重量％〜約１０重量％スズとを含む、銅−ニッケル−スズ合金から作製され、前記合金は、少なくとも７５ｋｓｉの０．２％オフセット降伏強度を有する、請求項１７に記載のサッカーロッドガイド区画。
【請求項１９】
前記区画本体の外部表面は、非銅合金材料でコーティングされる、または
前記区画本体は、非銅合金材料から作製され、銅合金インサートは、外部表面に近接して前記区画本体内に存在する、請求項１７に記載のサッカーロッドガイド区画。
【請求項２０】
前記第１の摺動継合部は、ピンであり、前記第２の摺動継合部は、尾部である、請求項１７に記載のサッカーロッドガイド区画。
【請求項２１】
前記ピンおよび前記尾部はそれぞれ、傾斜側壁を有する、請求項２０に記載のサッカーロッドガイド区画。
【請求項２２】
前記第１の摺動継合部および前記第２の摺動継合部は両方とも、ピンである、または両方とも、尾部である、請求項１７に記載のサッカーロッドガイド区画。
【請求項２３】
前記少なくとも１つの開口は、相互から離間され、前記区画本体の前記第１の端部と前記第２の端部との間に延在する、複数の開口である、請求項１７に記載のサッカーロッドガイド区画。
【請求項２４】
（Ｉ）前記サッカーロッドガイド区画はさらに、前記区画本体の外部表面内の少なくとも１つの縦方向溝を備え、（Ａ）前記少なくとも１つの縦方向溝は、前記溝が前記区画本体の前記第１の端部から前記第２の端部に伸びるにつれて、前記区画本体の第１の側から前記区画本体の第２の側に螺旋状に進むか、または（Ｂ）前記少なくとも１つの縦方向溝は、前記区画本体の前記第１の端部から前記第２の端部に縦方向に伸びるか、もしくは
（ＩＩ）前記サッカーロッドガイド区画はさらに、前記区画本体の対向側の前記区画本体の外部表面内の一対の縦方向溝を備え、各溝は、前記区画本体の前記第１の端部から前記第２の端部に縦方向に伸びるか
のいずれかである、請求項１７に記載のサッカーロッドガイド区画。
【請求項２５】
前記区画本体はさらに、中央部分を備え、前記第１の端部および前記第２の端部は、前記中央部分の外径が前記第１の端部および前記第２の端部の直径を上回るように、前記中央部分に向かってテーパ状になる、請求項１７に記載のサッカーロッドガイド区画。
【請求項２６】
ポンプシステムであって、
坑内ポンプと、
前記坑内ポンプに給電するための電源と、
前記坑内ポンプと前記電源との間に位置する少なくとも１つのサッカーロッドと、
前記少なくとも１つのサッカーロッドを囲繞する少なくとも１つのサッカーロッドガイドであって、前記サッカーロッドガイドは、
外部表面であって、前記外部表面の少なくとも一部は、銅−ニッケル−スズ合金を含む、外部表面と、
前記サッカーロッドに係合するように適合される平滑内部ボアと
を備え、
前記サッカーロッドは、前記平滑内部ボアを通して通過し、前記サッカーロッドガイドは、炭素鋼に対して測定されるとき、０．４未満の滑り摩擦係数を有する、サッカーロッドガイドと
を備える、ポンプシステム。
【手続補正２】
【補正対象書類名】明細書
【補正対象項目名】０００７
【補正方法】変更
【補正の内容】
【０００７】
種々の実施形態において本明細書に開示されるのは、銅−ニッケル−スズ合金を含む、サッカーロッドガイドである。いくつかの実施形態では、銅−ニッケル−スズ合金は、サッカーロッドガイドの外部表面の少なくとも一部を構成する。他の実施形態では、銅−ニッケル−スズ合金は、少なくとも部分的に、ポリマー樹脂等の非銅合金材料内に囲まれる。
【手続補正３】
【補正対象書類名】明細書
【補正対象項目名】０００８
【補正方法】変更
【補正の内容】
【０００８】
一実施形態では、サッカーロッドガイドは、第１の端部、第２の端部、外側本体直径、および外部表面を有する、縦方向本体を有する。サッカーロッドガイドはまた、サッカーロッドに係合するように適合される、第１の端部から第２の端部に延在する、縦方向本体内の平滑内部ボアを有する。サッカーロッドガイドの外部表面の少なくとも一部は、銅−ニッケル−スズ合金を含む。
【手続補正４】
【補正対象書類名】明細書
【補正対象項目名】００２４
【補正方法】変更
【補正の内容】
【００２４】
さらに開示されるのは、サッカーロッドストリングを使用して、坑内ポンプをモータに接続するステップと、サッカーロッドストリングを使用して、坑内ポンプを動作させ、流体を坑井から抽出するステップとを含む、流体を坑井から抽出する方法である。サッカーロッドストリングは、銅−ニッケル−スズ合金を含む、サッカーロッドガイドのセットを備え、銅−ニッケル−スズ合金は、約８〜約２０重量％ニッケルと、約５〜約１１重量％スズとを含み、炭素鋼に対して測定されるとき、０．４未満の滑り摩擦係数を有する。
【手続補正５】
【補正対象書類名】明細書
【補正対象項目名】０１２８
【補正方法】変更
【補正の内容】
【０１２８】
本開示は、例示的実施形態を参照して説明された。修正および改変が、先行する発明を実施するための形態の熟読および理解に応じて、当業者に想起されるであろう。例示的実施形態は、それらが添付の請求項またはその均等物の範囲内である限り、全てのそのような修正および改変を含むものとして解釈されることが意図される。
本発明の具体的態様は以下のとおりである。
[態様１]
銅−ニッケル−スズ合金を含む、サッカーロッドガイド。
[態様２]
炭素鋼に対して測定されるとき、０．４未満の滑り摩擦係数を有する、態様１に記載のサッカーロッドガイド。
[態様３]
前記銅−ニッケル−スズ合金は、前記サッカーロッドガイドの外部表面上に存在する、態様１に記載のサッカーロッドガイド。
[態様４]
前記銅−ニッケル−スズ合金は、１つ以上の銅−ニッケル−スズ合金インサートの形態にある、態様１に記載のサッカーロッドガイド。
[態様５]
前記１つ以上の銅−ニッケル−スズ合金インサートは、前記サッカーロッドガイドの外部表面の少なくとも一部を構成する、態様４に記載のサッカーロッドガイド。
[態様６]
前記銅−ニッケル−スズ合金は、約５重量％〜約２０重量％ニッケルと、約５重量％〜約１０重量％スズとを含み、前記合金は、少なくとも７５ｋｓｉの０．２％オフセット降伏強度を有する、態様１に記載のサッカーロッドガイド。
[態様７]
第１の端部、第２の端部、外側本体直径、および外部表面を有する、縦方向本体と、
サッカーロッドに係合するように適合される、前記第１の端部から前記第２の端部に延在する、前記縦方向本体内の平滑内部ボアと
をさらに備える、態様１に記載のサッカーロッドガイド。
[態様８]
前記縦方向本体は、非銅合金材料を含む、態様７に記載のサッカーロッドガイド。
[態様９]
前記非銅合金材料は、ポリマー樹脂である、態様８に記載のサッカーロッドガイド。
[態様１０]
（Ａ）少なくとも１つの溝は、前記第１の端部から前記第２の端部に伸びる、（Ｂ）（１）前記少なくとも１つの溝は、前記第１の端部から前記第２の端部に延在する縦軸と平行に伸びる、または（２）前記少なくとも１つの溝は、前記第１の端部から前記第２の端部に螺旋状に伸びる、態様７に記載のサッカーロッドガイド。
[態様１１]
サッカーロッドガイドアセンブリであって、
サッカーロッドと、
前記サッカーロッドに添着されるサッカーロッドガイドであって、前記サッカーロッドガイドは、銅−ニッケル−スズ合金を含み、前記サッカーロッドガイドは、炭素鋼に対して測定されるとき、０．４未満の滑り摩擦係数を有する、サッカーロッドガイドと
を備える、サッカーロッドガイドアセンブリ。
[態様１２]
前記サッカーロッドガイドは、前記サッカーロッドに成型される、態様１１に記載のサッカーロッドガイドアセンブリ。
[態様１３]
前記銅−ニッケル−スズ合金は、前記サッカーロッドガイドの外部表面の少なくとも一部上に形成される、態様１１に記載のサッカーロッドガイドアセンブリ。
[態様１４]
前記銅−ニッケル−スズ合金は、前記サッカーロッドガイドの外部表面の少なくとも一部を形成する、１つ以上の銅−ニッケル−スズ合金インサートを含む、態様１１に記載のサッカーロッドガイドアセンブリ。
[態様１５]
前記銅−ニッケル−スズ合金は、約５重量％〜約２０重量％ニッケルと、約５重量％〜約１０重量％スズとを含み、前記合金は、少なくとも７５ｋｓｉの０．２％オフセット降伏強度を有する、態様１１に記載のサッカーロッドガイドアセンブリ。
[態様１６]
接着剤は、前記サッカーロッドガイドを前記サッカーロッドに添着する、態様１１に記載のサッカーロッドガイドアセンブリ。
[態様１７]
サッカーロッドガイド区画であって、
第１の端部および第２の端部を有する、区画本体と、
ある半径を有し、前記区画本体を通して縦方向に延在する、半円筒形中心チャネルと、
前記区画本体の内部表面の対向側にあり、前記サッカーロッドガイド区画が別の関連付けられたサッカーロッドガイド区画に対して縦方向にのみ移動することを可能にするように適合される、第１の摺動継合部および第２の摺動継合部と、
前記区画本体の第１の側を通して延在し、関連付けられた締結具が前記サッカーロッドガイド区画を前記関連付けられたサッカーロッドガイド区画に固着させることを可能にするように適合される、少なくとも１つの開口と
を備え、
前記サッカーロッドガイド区画の外部表面は、炭素鋼に対して測定されるとき、０．４未満の滑り摩擦係数を有する、サッカーロッドガイド区画。
[態様１８]
前記区画本体は、約５重量％〜約２０重量％ニッケルと、約５重量％〜約１０重量％スズとを含む、銅−ニッケル−スズ合金から作製され、前記合金は、少なくとも７５ｋｓｉの０．２％オフセット降伏強度を有する、態様１７に記載のサッカーロッドガイド区画。
[態様１９]
前記区画本体の外部表面は、非銅合金材料でコーティングされる、または
前記区画本体は、非銅合金材料から作製され、銅合金インサートは、外部表面に近接して前記区画本体内に存在する、態様１７に記載のサッカーロッドガイド区画。
[態様２０]
前記第１の摺動継合部は、ピンであり、前記第２の摺動継合部は、尾部である、態様１７に記載のサッカーロッドガイド区画。
[態様２１]
前記ピンおよび前記尾部はそれぞれ、傾斜側壁を有する、態様２０に記載のサッカーロッドガイド区画。
[態様２２]
前記第１の摺動継合部および前記第２の摺動継合部は両方とも、ピンである、または両方とも、尾部である、態様１７に記載のサッカーロッドガイド区画。
[態様２３]
前記少なくとも１つの開口は、相互から離間され、前記区画本体の前記第１の端部と前記第２の端部との間に延在する、複数の開口である、態様１７に記載のサッカーロッドガイド区画。
[態様２４]
（Ｉ）前記サッカーロッドガイド区画はさらに、前記区画本体の外部表面内の少なくとも１つの縦方向溝を備え、（Ａ）前記少なくとも１つの縦方向溝は、前記溝が前記区画本体の前記第１の端部から前記第２の端部に伸びるにつれて、前記区画本体の第１の側から前記区画本体の第２の側に螺旋状に進むか、または（Ｂ）前記少なくとも１つの縦方向溝は、前記区画本体の前記第１の端部から前記第２の端部に縦方向に伸びるか、もしくは
（ＩＩ）前記サッカーロッドガイド区画はさらに、前記区画本体の対向側の前記区画本体の外部表面内の一対の縦方向溝を備え、各溝は、前記区画本体の前記第１の端部から前記第２の端部に縦方向に伸びるか
のいずれかである、態様１７に記載のサッカーロッドガイド区画。
[態様２５]
前記区画本体はさらに、中央部分を備え、前記第１の端部および前記第２の端部は、前記中央部分の外径が前記第１の端部および前記第２の端部の直径を上回るように、前記中央部分に向かってテーパ状になる、態様１７に記載のサッカーロッドガイド区画。
[態様２６]
ポンプシステムであって、
坑内ポンプと、
前記坑内ポンプに給電するための電源と、
前記坑内ポンプと前記電源との間に位置する少なくとも１つのサッカーロッドと、
前記少なくとも１つのサッカーロッドを囲繞する少なくとも１つのサッカーロッドガイドであって、前記サッカーロッドガイドは、
外部表面であって、前記外部表面の少なくとも一部は、銅−ニッケル−スズ合金を含む、外部表面と、
前記サッカーロッドに係合するように適合される平滑内部ボアと
を備え、
前記サッカーロッドは、前記平滑内部ボアを通して通過し、前記サッカーロッドガイドは、炭素鋼に対して測定されるとき、０．４未満の滑り摩擦係数を有する、サッカーロッドガイドと
を備える、ポンプシステム。